【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
現在の被検体の断層構造における層境界の情報を取得する取得手段と、
前記被検体の過去のＥｎ−Ｆａｃｅ画像に関する深さ範囲を示す情報及び前記層境界の情報に基づいて、前記被検体の現在のＥｎ−Ｆａｃｅ画像に関する深さ範囲を決定する決定手段と、
前記現在の被検体の３次元データにおける前記決定された深さ範囲の前記現在のＥｎ−Ｆａｃｅ画像を生成する生成手段と、
前記生成された現在のＥｎ−Ｆａｃｅ画像を表示手段に表示させる表示制御手段と、
を備える、画像処理装置。
【請求項２】
前記過去のＥｎ−Ｆａｃｅ画像に関する深さ範囲を示す情報として所定の層境界の情報を用いる、請求項１に記載の画像処理装置。
【請求項３】
前記過去のＥｎ−Ｆａｃｅ画像に関する深さ範囲を示す情報として所定の層境界からの距離を用いる、請求項１に記載の画像処理装置。
【請求項４】
前記過去のＥｎ−Ｆａｃｅ画像に関する深さ範囲を示す情報として所定の２つの層境界からの距離の比を用いる、請求項１に記載の画像処理装置。
【請求項５】
前記３次元データから前記現在の被検体の断層構造における層境界を検出する検出手段をさらに備え、
前記取得手段は前記検出手段から前記層境界の情報を取得する、請求項１乃至４のいずれか一項に記載の画像処理装置。
【請求項６】
前記過去のＥｎ−Ｆａｃｅ画像に関する深さ範囲を示す情報を記憶する記憶手段をさらに備える、請求項１乃至５のいずれか一項に記載の画像処理装置。
【請求項７】
前記記憶手段に前記過去のＥｎ−Ｆａｃｅ画像に関する深さ範囲を示す情報が記憶されていない場合、前記生成手段は、前記３次元データのうち、前記被検体における所定の深さ範囲のデータを用いて、前記現在のＥｎ−Ｆａｃｅ画像を生成する、請求項６に記載の画像処理装置。
【請求項８】
前記現在のＥｎ−Ｆａｃｅ画像に関する深さ範囲を変更する変更手段をさらに備える、請求項１乃至７のいずれか一項に記載の画像処理装置。
【請求項９】
前記現在のＥｎ−Ｆａｃｅ画像は前記現在の被検体の３次元モーションコントラストデータを用いて生成される、請求項１乃至８のいずれか一項に記載の画像処理装置。
【請求項１０】
被検体の現在の３次元データを用いて、前記被検体の断層構造における層境界の情報を取得する取得手段と、
前記被検体のＥｎ−Ｆａｃｅ画像に関するデフォルトの深さ範囲を示す情報及び前記層境界の情報を用いて、前記現在の３次元データの一部のデータであって、前記デフォルトの深さ範囲に対応する前記一部のデータを決定する決定手段と、
前記決定された一部のデータを用いて、前記被検体の現在のＥｎ−Ｆａｃｅ画像を生成する生成手段と、
前記被検体の過去のＥｎ−Ｆａｃｅ画像と前記現在のＥｎ−Ｆａｃｅ画像とを並べて表示手段に表示させる表示制御手段と、
を備える、画像処理装置。
【請求項１１】
前記デフォルトの深さ範囲を示す情報は、初期設定された深さ範囲を示す情報である、請求項１０に記載の画像処理装置。
【請求項１２】
前記一部のデータは、前記被検体の現在の３次元モーションコントラストデータの一部のデータであり、
前記過去のＥｎ−Ｆａｃｅ画像及び前記現在のＥｎ−Ｆａｃｅ画像は、それぞれ、前記被検体の過去のモーションコントラストＥｎ−Ｆａｃｅ画像及び前記被検体の現在のモーションコントラストＥｎ−Ｆａｃｅ画像である、請求項１０又は１１に記載の画像処理装置。
【請求項１３】
操作者からの指示に応じて、前記現在のＥｎ−Ｆａｃｅ画像に関する深さ範囲を変更する変更手段をさらに備え、
前記決定手段は、前記変更された深さ範囲に対応する前記現在の３次元データの一部のデータを決定する、請求項１０乃至１２のいずれか一項に記載の画像処理装置。
【請求項１４】
前記表示制御手段は、異なる時刻に生成された複数のＥｎ−Ｆａｃｅ画像を前記表示手段に表示させる、請求項１乃至１３のいずれか一項に記載の画像処理装置。
【請求項１５】
前記表示制御手段は、前記表示手段に、前記現在の被検体の断層画像を表示させ、前記断層画像に前記現在のＥｎ−Ｆａｃｅ画像に関する深さ範囲を示す境界線を表示させる、請求項１乃至１４のいずれか一項に記載の画像処理装置。
【請求項１６】
前記表示制御手段は、前記過去のＥｎ−Ｆａｃｅ画像及び前記現在のＥｎ−Ｆａｃｅ画像に関する深さ範囲を示す情報を前記表示手段に表示させる、請求項１乃至１５のいずれか一項に記載の画像処理装置。
【請求項１７】
前記被検体は眼底である、請求項１乃至１６のいずれか一項に記載の画像処理装置。
【請求項１８】
前記Ｅｎ−Ｆａｃｅ画像は血管画像である、請求項１乃至１７のいずれか一項に記載の画像処理装置。
【請求項１９】
前記生成手段は、前記過去のＥｎ−Ｆａｃｅ画像に関する深さ範囲と、前記現在のＥｎ−Ｆａｃｅ画像に関する深さ範囲とが互いに対応するように、前記現在のＥｎ−Ｆａｃｅ画像を生成する、請求項１乃至１８のいずれか一項に記載の画像処理装置。
【請求項２０】
現在の被検体の断層構造における層境界の情報を取得することと、
前記被検体の過去のＥｎ−Ｆａｃｅ画像に関する深さ範囲を示す情報及び前記層境界の情報に基づいて、前記被検体の現在のＥｎ−Ｆａｃｅ画像に関する深さ範囲を決定することと、
前記現在の被検体の３次元データにおける前記決定された深さ範囲の前記現在のＥｎ−Ｆａｃｅ画像を生成することと、
前記生成された現在のＥｎ−Ｆａｃｅ画像を表示手段に表示させることと、
を含む、画像処理方法。
【請求項２１】
被検体の現在の３次元データを用いて、前記被検体の断層構造における層境界の情報を取得することと、
前記被検体のＥｎ−Ｆａｃｅ画像に関するデフォルトの深さ範囲を示す情報及び前記層境界の情報に基づいて、前記現在の３次元データの一部のデータであって、前記デフォルトの深さ範囲に対応する前記一部のデータを決定することと、
前記決定された一部のデータを用いて、前記被検体の現在のＥｎ−Ｆａｃｅ画像を生成することと、
前記被検体の過去のＥｎ−Ｆａｃｅ画像と前記現在のＥｎ−Ｆａｃｅ画像とを並べて表示手段に表示させることと、
を含む、画像処理方法。
【請求項２２】
コンピュータに請求項２０又は２１に記載の画像処理方法を実行させる、プログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００１
【補正方法】変更
【補正の内容】
【０００１】
本発明は、画像処理装置、画像処理方法、及びプログラムに関する。
【手続補正４】
【補正対象書類名】明細書
【補正対象項目名】０００８
【補正方法】変更
【補正の内容】
【０００８】
本発明は、被検体の経過観察を効率よく行うためのＥｎ−Ｆａｃｅ画像を生成することができる画像処理装置、画像処理方法、及びプログラムを提供する。
【手続補正５】
【補正対象書類名】明細書
【補正対象項目名】０００９
【補正方法】変更
【補正の内容】
【０００９】
本発明の一実施態様による画像処理装置は、現在の被検体の断層構造における層境界の情報を取得する取得手段と、前記被検体の過去のＥｎ−Ｆａｃｅ画像に関する深さ範囲を示す情報及び前記層境界の情報に基づいて、前記被検体の現在のＥｎ−Ｆａｃｅ画像に関する深さ範囲を決定する決定手段と、前記現在の被検体の３次元データにおける前記決定された深さ範囲の前記現在のＥｎ−Ｆａｃｅ画像を生成する生成手段と、前記生成された現在のＥｎ−Ｆａｃｅ画像を表示手段に表示させる表示制御手段とを備える。
【手続補正６】
【補正対象書類名】明細書
【補正対象項目名】００１１
【補正方法】変更
【補正の内容】
【００１１】
本発明のさらに別の実施態様による画像処理方法は、現在の被検体の断層構造における層境界の情報を取得することと、前記被検体の過去のＥｎ−Ｆａｃｅ画像に関する深さ範囲を示す情報及び前記層境界の情報に基づいて、前記被検体の現在のＥｎ−Ｆａｃｅ画像に関する深さ範囲を決定することと、前記現在の被検体の３次元データにおける前記決定された深さ範囲の前記現在のＥｎ−Ｆａｃｅ画像を生成することと、前記生成された現在のＥｎ−Ｆａｃｅ画像を表示手段に表示させることとを含む。